(57)【要約】本発明の瓶のキャップは、第１キャップと第１キャップの溝部に嵌合される第２キャップとからなる。第１キャップは、瓶の首部の外周を取り囲むように形成された周辺部と、瓶の首部を閉鎖するように前記周辺部の先端に形成された先端部とを備える。先端部は、瓶の首部の内周に気密的に接触する側壁を形成するように下方に陥没した溝部を備える。第２キャップは、溝部に挿入される嵌入部と、嵌入部の上部から外側方向に延びた延長部とを備える。このような瓶のキャップは、瓶の首部の内側及び外側と瓶のキャップとの密閉性を向上させることができる効果を提供する。2011500466.tif 000003
2011500466.tif 000002
【特許請求の範囲】
【請求項１】
瓶の開口部に装着される瓶のキャップであって、
瓶の開口部の外周を取り囲むように円柱形で形成された周辺部と、前記瓶の開口部の内周に気密的に接触する側壁を形成するように下方に陥没して形成された溝部を有する先端部とを備えた第１キャップ；及び
前記第１キャップの前記溝部内に嵌合される第２キャップ
を含む、瓶のキャップ。
【請求項２】
前記第１キャップが、前記溝部の内側壁の一部に形成された第１係止部を有し、かつ
前記第２キャップが、その外周の一部に前記第１係止部を係止するように形成された第２係止部を有する、
請求項１に記載の瓶のキャップ。
【請求項３】
前記第２キャップが、前記溝部に挿入される嵌入部と、前記嵌入部の頂部から外向きに延びた延長部とを備える、請求項１に記載の瓶のキャップ。
【請求項４】
前記嵌入部が、側方支持力を与えるためにその内部に形成された支持台とともに提供される、請求項３に記載の瓶のキャップ。
【請求項５】
前記延長部が、外周の一部に形成された離脱用突起または溝を有する、請求項３に記載の瓶のキャップ。
【請求項６】
前記第１キャップの前記溝部が、内側壁の上端に前記第２キャップの前記延長部が載置されるように段差を持って陥没して形成された段差部を備える、請求項３に記載の瓶のキャップ。
【請求項７】
前記第２キャップが、前記第１キャップより硬質の素材で製作される、請求項１に記載の瓶のキャップ。
【請求項８】
前記第１キャップの前記溝部が、所定の部位で他部位より薄く形成された厚さの前記側壁を有する、請求項１に記載の瓶のキャップ。
【請求項９】
薄く形成された厚さの前記側壁が前記側壁の下部である、請求項８に記載の瓶のキャップ。
【請求項１０】
前記溝部の前記側壁が、その厚さが薄く形成されるように、その陥没した内側を有する、請求項８に記載の瓶のキャップ。
【請求項１１】
前記第１キャップが、前記周辺部の内面に沿って形成される離脱防止用環状突起を備える、請求項１に記載の瓶のキャップ。
【請求項１２】
前記第１キャップが、前記周辺部の内面に沿って形成される離脱防止用環状溝を備える、請求項１に記載の瓶のキャップ。
【請求項１３】
前記第１キャップが、前記側壁の外周に沿って形成される密閉用環状突起を備える、請求項１に記載の瓶のキャップ。
【請求項１４】
前記第１キャップの前記溝部の下部とその底面を連結する部位が湾曲している、請求項１に記載の瓶のキャップ。
【請求項１５】
開封時瓶内部の空気が排出されるように、前記溝部の下部とその底面を連結する一つ以上の凹状空気通路が外部面に形成される、請求項１４に記載の瓶のキャップ。
【請求項１６】
それぞれの前記空気通路が、前記溝部の下部でその底面部分より広く形成された幅の通路を有する、請求項１５に記載の瓶のキャップ。
【請求項１７】
前記側壁が、その底面端外周部分に下方に延びるスカート部を備える、請求項１４に記載の瓶のキャップ。
【請求項１８】
前記第１キャップの前記周辺部の下端が、前記周辺部の他部位に比べて薄く形成されるように陥没している、請求項１に記載の瓶のキャップ。
【請求項１９】
前記第１キャップが、前記周辺部の中央部から底面端部まで延びる複数の開封痕跡表示（ｔａｍｐｅｒ  ｉｎｄｉｃａｔｉｏｎ）部；
前記複数の開封痕跡表示部の上端を直線状に連結する曲がり部；
前記複数の開封痕跡表示部と前記曲がり部とにより規定される開封片部分；
前記開封片部分の外面の外側に突出した開封用取っ手部；及び
前記開封痕跡表示部の破断により前記開封片部分が上方に動く場合に、その開封片部分の開封用取っ手部の先端と互いに接するように、前記曲がり部の頂部から突出している支持突起
をさらに備える、請求項１ないし１８のいずれか１項に記載の瓶のキャップ。
【請求項２０】
前記開封痕跡表示部が、点線状の破断線または他部位より薄い厚さの切取線で形成される、請求項１９に記載の瓶のキャップ。
【請求項２１】
前記周辺部が、前記開封用取っ手部が形成された部位で底面端部分が上方に湾曲するように、切り取られる、請求項１９に記載の瓶のキャップ。
【請求項２２】
前記開封用取っ手部が形成された部位の反対側周辺部に、一つまたは複数の点線状の破断線または他部位より薄い厚さの一つまたは複数の切取線が、前記周辺部の周辺部の上方向および下方向に沿って形成される、請求項１９に記載の瓶のキャップ。
【発明の詳細な説明】
【技術分野】
【０００１】
本発明は、瓶のキャップに関するもので、より詳細には医用液、飲料水、酒類またはその他の液体類などを受容する瓶の開口部を密閉する瓶のキャップに関するものである。
【背景技術】
【０００２】
通常、飲料水またはミネラルウォーターなどを受容する瓶には、内容物の投入後流通中に受容された内容物の漏れまたは変質などを防止するため、色々な形態の瓶のキャップが開閉手段として採用されている。瓶のキャップは一般的に、採用されている瓶のキャップとしては、ねじ式による開閉方式を用いるねじ型の瓶のキャップと嵌合式による開閉方式用いる嵌合型の瓶のキャップとに分けられる。
【０００３】
ねじ型の瓶のキャップは、内周に雌ねじが形成された瓶のキャップを外周に雄ねじが形成された瓶の開口部に結合する構成である。したがって、密閉性が高いので、炭酸飲料またはビールなどのように、気密が要求される内容物を受容する瓶のキャップとして使用する。しかし、このような瓶のキャップは、瓶の外周に形成された雄ねじに結合される構成であるため、開封時に大きな力を必要とするだけでなく、瓶の開封時に瓶のキャップを数回繰り返して回転させなければならないので、一気に開封するのが難しい不便さがある。また、鉄材またはアルミニウムなどの高強度金属材料の瓶のキャップを使用する場合は、瓶のキャップの製造コストが上昇するようになり、鉄材などの採取によって環境が破壊される問題がある。また、瓶のキャップを開封した後、瓶のキャップの一部が瓶に残るので、瓶のリサイクルのために不便な別途の離脱作業が必要であるなどの問題点もある。
【０００４】
嵌合型の瓶のキャップは、瓶のキャップを瓶の開口部の内周に嵌合する構成であるため、瓶のキャップの開封及び閉鎖が容易である長所がある。しかし、このような瓶のキャップは微弱な外力によっても容易に開封されるだけでなく、瓶のキャップの密閉性も低いため、特に炭酸飲料またはビールなどのように気密が要求される内容物を受容する瓶のキャップとして採用することが難しい問題点がある。
【発明の概要】
【発明が解決しようとする課題】
【０００５】
技術的問題
前述したこのような問題点を解消するために、本発明は、炭酸飲料などを受容する瓶にも十分に採用できる程度に密閉性が高く、簡単な動作でも瓶のキャップの開封が可能であり、環境に優しく、製造コストが低廉な瓶のキャップを提供することにその目的がある。
【課題を解決するための手段】
【０００６】
技術的解決
前述の本発明の目的を達成するために、瓶の開口部に装着される瓶のキャップであって、瓶の開口部の外周を取り囲むように円柱形で形成された周辺部と、前記瓶の開口部の内周に気密的に接触する側壁を形成するように下方に陥没して形成された溝部を有する先端部とを備えた第１キャップ；及び前記第１キャップの前記溝部内に嵌合される第２キャップを含む、瓶のキャップを提供する。したがって、本発明の瓶のキャップは、二重構造で形成されて、瓶の開口部の内側または外側と瓶のキャップとの密閉性を向上させている。
【０００７】
本発明によると、前記第１キャップは前記溝部の内側壁の一部に形成された第１係止部を有し、前記第２キャップはその外周の一部に前記第１係止部を係止するように形成された第２係止部を有する。したがって、第１キャップと第２キャップの嵌合する力が向上する。
【０００８】
本発明によると、前記第２キャップは、前記溝部に挿入される嵌入部と、前記嵌入部の頂部から外側方向に延びた延長部とを備える。また、前記嵌入部は、前記側壁に側方支持力を与えるためにその内部に形成される支持台とともに提供される。前記延長部は、外周の一部に形成される離脱用突起または溝を有する。前記第１キャップの前記溝部は、内側壁の上端に前記第２キャップの前記延長部が載置されるように、段差を持って陥没して形成された段差部を備えるが好ましい。したがって、第１キャップと第２キャップとの間の脱着が容易である。
【０００９】
本発明によると、前記第２キャップは前記第１キャップより硬質の素材で製作する。したがって、第１キャップに対する第２キャップの押圧力が容易に得られる。
【００１０】
本発明によると、前記第１キャップの前記溝部は、所定の部位で他部位より薄く形成された厚さの前記側壁を有する。また、前記側壁の厚さが薄く形成される部位は、前記側壁の下部である。前記溝部の前記側壁は、その厚さが薄く形成されるように、その陥没した内側を有することが好ましい。したがって、溝部の内壁に対する突出部の押圧力が容易に得られる。
【００１１】
本発明によると、前記第１キャップは、前記周辺部の内面に沿って形成される離脱防止用環状突起を備える。また、前記第１キャップは前記周辺部の内面に沿って形成される離脱防止用環状溝を備える。前記第１キャップは前記側壁の外周に沿って形成される密閉用環状突起を備えることが好ましい。したがって、瓶の開口部に対する第１キャップの離脱防止及び密閉性が向上する。
【００１２】
本発明によると、前記第１キャップの前記溝部の下部と前記溝部の底面を連結する部位は湾曲している。また、前記湾曲部位には開封時瓶内部の空気が排出されるように、前記溝部の下部とその底面を連結する一つ以上の凹状空気通路が外部面に形成される。それぞれの前記空気通路は、前記溝部の下部でその底面部より広く形成される幅の通路を有することが好ましい。したがって、第１キャップの開封時、溝部が瓶の開口部の内周から容易に離脱される。さらに、前記側壁は、その底面端部外周部分に下方に延びるスカート部を備える。したがって、瓶の開口部に対する第１キャップの密閉性が向上する。
【００１３】
本発明によると、前記第１キャップの前記周辺部の下端は、前記周辺部の他部位に比べて薄く形成されるように陥没している。したがって、携帯時、他の部材による第１キャップの意図しない離脱が防止され、また器具またはつめを使用した非正常的な強制開封が防止される。
【００１４】
本発明によると、前記第１キャップは、前記周辺部の中央部から底面端部まで延びる複数の開封痕跡表示（ｔａｍｐｅｒ  ｉｎｄｉｃａｔｉｏｎ）部；前記複数の開封痕跡表示部の上端を直線状に連結する曲がり部（ｂｅｎｄｅｄ  ｐｏｒｉｔｏｎ）；前記複数の開封痕跡表示部と前記曲がり部とにより規定される開封片部分；前記開封片部分の外面の外側に突出した開封用取っ手部；及び前記開封痕跡表示部の破断により前記開封片部分が上方に動く場合に、その開封片部分の開封用取っ手部の先端と互いに接するように、前記曲がり部の頂部から突出した支持突起；をさらに備える。したがって、第１キャップの開封が容易である。
【００１５】
本発明によると、前記開封痕跡表示部は点線状の破断線または他部位より薄い厚さの切取線で形成される。したがって、開封痕跡表示部の破断が容易である。
【００１６】
本発明によると、前記周辺部は、前記開封用取っ手部が形成される部位でその底面端部が上方に湾曲するように、切り取られる。したがって、周辺部による密閉力を向上させるだけでなく、開封用取っ手部の操作が容易である。
【００１７】
本発明によると、前記開封用取っ手部が形成された部位の反対側周辺部には、点線状の破断線、または他部位より薄い厚さの一つまたは複数の切取線が前記周辺部の上下方向に沿って形成される。したがって、切り取り開封部により瓶のキャップを開封する場合、これと反対側の周辺部の切り取りが容易なため瓶のキャップの開封が容易である。
【発明の効果】
【００１８】
有利な効果
本発明の瓶のキャップは、二重構造で形成されるので、瓶の開口部の内側または外側と瓶のキャップとの密閉性を向上させることができる効果がある。
【００１９】
また、本発明は、瓶の密閉性を向上させ、瓶のキャップを開封した後再使用する時にも密閉性を維持できる効果を提供する。
【００２０】
特に、第１キャップの溝部の下端とその底面を連結する部位が湾曲形成されて、瓶のキャップの離脱作業が容易である。
【００２１】
また、第１キャップと第２キャップに密閉用突起と溝を形成して、瓶のキャップの密閉性を向上させることができる。
【００２２】
さらに、本発明は切り取り開封部により簡単な動作で瓶のキャップの開封が可能であり、瓶のキャップの一部が瓶に残らず完全に除去されるので、リサイクル分離作業が容易である。
【図面の簡単な説明】
【００２３】
本発明の上記の目的、特徴および利点は、添付図面とともに関連技術分野における当業者にはより明らかであると考えられる。
【図１】本発明の第１実施形態に係る瓶のキャップを示す斜視図である。
【図２】本発明の第１実施形態に係る瓶のキャップを示す分解斜視図である。
【図３】本発明の第１実施形態に係る瓶のキャップを示す断面図である。
【図４】図３の“Ａ”部を示す拡大断面図である。
【図５】図３の“Ａ”部を示す拡大断面図である。
【図６】本発明の第１実施形態に係る瓶のキャップにおける第２キャップの底面を示す斜視図である。
【図７】本発明の第１実施形態に係る瓶のキャップを瓶に装着した一例を示す断面図である。
【図８】本発明の第１実施形態に係る瓶のキャップを瓶に装着した他の例を示す断面図である。
【図９】本発明の第１実施形態に係る瓶のキャップを開封する例を示す概略図である。
【図１０】本発明の第２実施形態に係る瓶のキャップを示す斜視図である。
【図１１】本発明の第２実施形態に係る瓶のキャップを示す分解斜視図である。
【図１２】本発明の第２実施形態に係る瓶のキャップを示す断面図である。
【図１３】本発明の第２実施形態に係る瓶のキャップを装着した一例を示す断面図である。
【図１４】本発明の第２実施形態に係る瓶のキャップを装着した他の例を示す断面図である。
【図１５】本発明の第２実施形態に係る瓶のキャップを開封する例を示す概略図である。
【図１６】本発明の第２実施形態に係る瓶のキャップを開封する例を示す概略図である。
【図１７】本発明の第２実施形態に係る瓶のキャップを開封する例を示す概略図である。
【図１８】本発明の第２実施形態に係る瓶のキャップを開封する例を示す概略図である。
【図１９】本発明の第２実施形態に係る瓶のキャップを開封する例を示す概略図である。
【図２０】本発明の第２実施形態に係る瓶のキャップの変形例を示す底面図である。
【図２１】本発明の第２実施形態に係る瓶のキャップの変形例を示す断面図である。
【図２２】図２１の“Ｂ”部に対する詳細図である。
【図２３】本発明の第２実施形態に係る瓶のキャップの他の変形例を示す底面図である。
【図２４】本発明の第２実施形態に係る瓶のキャップのもう一つの変形例を示す断面図である。
【図２５】図２４の“Ｃ”部に対する詳細図である。
【図２６】本発明の第２実施形態に係る瓶のキャップにおける第１キャップの周辺部の変形例を示す断面図である。
【図２７】本発明の第２実施形態に係る瓶のキャップにおける第１キャップの周辺部の他の変形例を示す断面図である。
【図２８】本発明の第２実施形態に係る瓶のキャップの周辺部に形成された陥没部を示す側面図である。
【図２９】本発明の第２実施形態に係る瓶のキャップにおける第１キャップの周辺部に形成された切取線を示す断面図である。
【図３０】本発明の第２実施形態に係る瓶のキャップにおける第１キャップの周辺部に形成された切取線を示す底面図である。
【図３１】図２９に示した瓶のキャップにおいて周辺部の切取線が切り取られる状態を示す状態図である。
【図３２】本発明の第２実施形態に係る瓶のキャップにおける第１キャップの周辺部に形成された他の切取線を示す断面図である。
【図３３】本発明の第２実施形態に係る瓶のキャップにおける第１キャップの周辺部に形成された他の切取線を示す底面図である。
【図３４】本発明の第２実施形態に係る瓶のキャップにおける第１キャップの周辺部に形成された破断線を示す断面図である。
【発明を実施するための形態】
【００２４】
発明を実施するための最良の形態
以下、添付図面を参照して、本発明の好ましい第１実施形態に係る瓶のキャップについてより詳細に説明する。
【００２５】
図１は本発明の第１実施形態に係る瓶のキャップを示す斜視図であり、図２は本発明の第１実施形態に係る瓶のキャップを示す分解斜視図であり、図３は本発明の第１実施形態に係る瓶のキャップを示す断面図であり、図４は図３の“Ａ”部を示す拡大断面図であり、図５は図３の“Ａ”部を示す拡大断面図であり、かつ図６は本発明の第１実施形態に係る瓶のキャップにおける第２キャップの底面を示す斜視図である。
【００２６】
図１及び図２に示すように、第１実施形態に係る瓶のキャップは、円柱状の第１キャップ１０と円形の第２キャップ２０とからなった二重構造を有する。このような瓶のキャップは、瓶１００の内周と外周に密着して瓶１００の開口部を閉鎖する。
【００２７】
第１キャップ１０は周辺部１１、先端部１２及び溝部１４を含む。
【００２８】
周辺部１１は、瓶１００の首部の外周を取り囲むように形成されており、内周１１には離脱防止用環状突起１６が形成されている。先端部１２は瓶１００の開口部の先端を密閉して閉鎖するように、周辺部１１の先端に形成される。溝部１４は瓶１００の首部の内周に気密的に接触する側壁を形成するように、先端部１２から下方に陥没して形成される。
【００２９】
溝部１４の内側壁の上端には段差を持って陥没した段差部１３が形成される。溝部１４の内側壁の一部には突起状の第１係止部１５が形成される。
【００３０】
図３ないし図６に示すように、溝部１４の下部面には上方に突出した突出部１８が形成されている。また、溝部１４を形成する側壁の下部附近の内側面には凹部１７が形成されている。
【００３１】
溝部１４には側壁の外周に沿って密閉用環状突起１４ａが形成されている。また第１キャップ１０には、溝部１４の下端とその底面を連結する部位に湾曲している湾曲部１４ｂが備えられている。
【００３２】
第１キャップ１０の材料として、シリコンゴム(ｓｉｌｉｃｏｎ  ｒｕｂｂｅｒ)、ポリ塩化ビニール(ｐｏｌｙｖｉｎｙｌ  ｃｈｌｏｒｉｄｅ、ＰＶＣ)、ポリエチレン(ｐｏｌｙｅｔｈｙｌｅｎｅ、ＰＥ)などのように押圧力により変形が容易な軟質樹脂類を使用することが好ましい。
【００３３】
円形の第２キャップ２０は、第１キャップ１０の溝部１４に嵌合されるもので、嵌入部２３と延長部２１からなる。
【００３４】
嵌入部２３は筒状に形成され、嵌入部２３の一部には突起状の第２係止部２４が形成される。第２キャップの嵌入部２３には、嵌入部２３の内部に嵌入部２３の内部の水平支持力を向上させるために形成された支持台２３ａが備えられている。
【００３５】
第２キャップの延長部２１は円板の縁部に形成され、嵌入部２３の上部から外側方向に延長され、延長部２１の外縁部の一部には下方に突出した離脱用突起または溝２２が形成される。また、延長部２１は円盤状以外に、星状、六角形状、八角形状などの多様な形状に構成することができる。
【００３６】
第２キャップ２０の材料は、ポリカーボネート(Ｐｏｌｙｃａｒｂｏｎａｔｅ)、アクリル材(ａｃｒｙｌｉｃ  ｍａｔｅｒｉａｌ)、ポリ塩化ビニール（ＰＶＣ）、ポリエチレン（ＰＥ）などのような硬質の樹脂類を使用することが好ましい。
【００３７】
図７は本発明の第１実施形態に係る瓶のキャップを瓶に装着した一例を示す断面図である。
【００３８】
図３及び図７に示すように、瓶１００の開口部（すなわち、首部）には内周及び外周に密着した状態で第１キャップ１０が結合される。次に、第１キャップ１０の溝部１４に第２キャップ２０の嵌入部２３が結合されるように嵌合される。第１係止部１５と第２係止部２４の嵌合により嵌入部２３が溝部１４内に固定される。第１キャップ１０の周辺部１１の内面に沿って形成された離脱防止用環状突起１６が瓶１００の首部の外周に形成された溝に結合される。すなわち、第１キャップ１０に第２キャップ２０が結合された状態で瓶の開口部を閉鎖する。
【００３９】
嵌入部２３が溝部１４内にこのように結合されることによって、溝部１４の内壁が外側に拡張される。したがって、嵌入部２３が、外側方向に拡張される方向に押圧力を加えるように溝部１４を押圧するので、瓶１００の首部の内周と第１キャップ１０の溝部との間の密閉性が向上する。
【００４０】
一方、嵌入部２３の内部に形成された支持台２３ａは、その平断面が十字状を有するように二つのプレートが起立状態で互いに直交して配設された形状を有する。この支持台２３ａは第２キャップ２０の製作時、第２キャップ２０と一体に成形する。この支持台２３ａは、第２キャップ２０が第１キャップ１０に挿入された状態で第２キャップ２０の嵌入部２３が第１キャップ１０の溝部１４から加わる収縮圧力を受ける時、第２キャップ２０の嵌入部２３に対して収縮圧力に抗して嵌入部を支持する機能をする。したがって、嵌入部２３の内部支持力が向上し、外側方向への拡張支持力も向上して溝部の側壁に側方支持力を与える状態が堅固に維持される。このような支持台２３ａは、その断面が十字状、放射状、ハニカム状などを有するように、多様な形状に形成することができる。
【００４１】
一方、第１キャップ１０の突出部１８に炭酸飲料、ビールなどのガス圧力による押圧力が上方に加わると、突出部１８が溝部１４の側壁を底面端から上側に押圧するようになる。この時、溝部１４の側壁はその厚さが不均一である。図３及び図４に示すように、特定部位、すなわち凹部１７が形成された部位の厚さは他の部位より薄くなっている。したがって、突出部１８を通じて溝部１４の側壁に加わる上方押圧力によって、凹部１７が形成された部位が収縮されるようになって、図５に示すように凹部は外側方向に突出する力を受けるようになる。その結果、結果的に溝部１４の側壁は凹部１７が形成された領域が外側方向に拡張されて、瓶１００の首部の内周と強く密着する。したがって、瓶１００の首部の内周と第１キャップ１０の溝部との間の密閉性がより向上する。
【００４２】
溝部１４の側壁の厚さが薄く形成された部位は、下部に限定されるものではなく、側壁の中間部領域または側壁の上端部に形成することができることは言うまでもない。また、溝部１４の側壁は外側面が陥没することによって、側壁の厚さを他部位より薄く形成することができるが、突出部１８による押圧力が側壁の外側に加わるように、側壁の内側面が陥没することが好ましい。
【００４３】
また、溝部１４には側壁の外周に沿って密閉用環状突起１４ａが形成され、瓶１００の首部の内周と第１キャップ１０の溝部との間の密閉性が向上する。しかし、必ずしも密閉用環状突起１４ａを形成する必要はない。また、密閉用環状突起１４ａを一つ以上形成することができる。
【００４４】
離脱防止用環状突起１６は、瓶１００の首部の外周に形成された溝に結合されることによって、瓶１００の首部の外周から第１キャップ１０が離脱することを防止する。離脱防止用環状突起１６は、瓶１００の首部の外周と第１キャップ１０の内周との間の密閉性を向上させる機能もする。また、離脱防止用環状突起１６は、その断面が台状、半円状、三角形状などの多様な形状に形成でき、第１キャップ１０の開封時離脱を容易にする。
【００４５】
第２キャップ２０により第１キャップ１０が容易に変形するように、第２キャップ２０は第１キャップ１０より硬質の素材で製作することが好ましい。したがって、硬質素材の嵌入部２３が、変形が容易な軟質素材の溝部１４に嵌合されるまたは溝部１４から離脱するので、第１キャップ１０に対する第２キャップ２０の嵌合と離脱が容易である。
【００４６】
また、第１キャップ１０と第２キャップ２０の材質及び強度は、密閉力強化及び開封の容易性のために、互いに相異なるように形成することも可能である。
【００４７】
また、溝部１４から嵌入部２３を外す場合、延長部２１の一側に形成した離脱用突起または溝２２を使用すると離脱作業が容易である。通常、瓶１００の開口部から第１キャップ１０を傾けた状態で離脱するので、第１キャップ１０の湾曲部１４ｂにより瓶１００の首部の内周と第１キャップ１０の溝部との間の摩擦力が減少して第１キャップ１０の変形を最小化できる。したがって、第１キャップ１０の離脱時に第１キャップ１０の変形が最小化するので、離脱作業に必要な作用力が小さくなって、離脱作業が容易である。
【００４８】
本実施形態においては、瓶１００の開口部に第１キャップ１０を結合した後第２キャップ２０を第１キャップ１０に結合するが、第１キャップ１０に第２キャップ２０を結合した後、第１キャップ１０を瓶１００の開口部に結合することも可能であることは言うまでもない。
【００４９】
図８は、本発明の第１実施形態に係る瓶のキャップを装着した他の例を示す断面図である。
【００５０】
図８に示すように、瓶１００の首部の外周に形成された突起が第１キャップ１０の周辺部１１の内面に沿って形成された離脱防止用環状溝１９に挿入される。したがって、瓶１００の首部の外周から第１キャップ１０の離脱を防止する。離脱防止用環状溝１９は瓶１００の首部の外周と第１キャップ１０との間の密閉性を向上させる機能もするようになる。また、離脱防止用環状溝１９は、その断面が台状、半円状、三角形状など多様な形状に形成し、第１キャップ１０の開封時容易に離脱できるようにすることが好ましい。
【００５１】
本実施形態に係る瓶のキャップの開封のためには、瓶の開口部から第２キャップ２０が結合された第１キャップ１０を上方に斜めに外して、瓶の開口部を開封する。
【００５２】
また、図９に示すように、第１キャップ１０及び第２キャップ２０が瓶の開口部に結合されているので、まず第２キャップ２０を離脱した後、第１キャップ１０を外して瓶を開封することも勿論可能である。
【００５３】
以下、添付図面を参照して、本発明の好ましい第２実施形態に係る瓶のキャップついてより詳細に説明する。
【００５４】
図１０は本発明の第２実施形態に係る瓶のキャップを示す斜視図であり、図１１は本発明の第２実施形態に係る瓶のキャップを示す分解斜視図であり、図１２は本発明の第２実施形態に係る瓶のキャップを示す断面図であり、図１３は本発明の第２実施形態に係る瓶のキャップを装着した一例を示す断面図であり、図１４は本発明の第２実施形態に係る瓶のキャップを装着した他の例を示す断面図である。
【００５５】
本実施形態の瓶のキャップは、切り取り開封部３０をさらに備える構成を除いては、前述した第１実施形態に係る瓶のキャップと同様である。したがって、第１実施形態と同一部分に対しては同一符号を付し、その説明は省略する。
【００５６】
図１０ないし図１４に示すように、本実施形態の第１キャップ１０には周辺部１１の一部に本発明者が出願した国際特許出願番号ＰＣＴ／ＫＲ２００４／００２１６５に開示した発明の切り取り開封部３０をさらに備えている。
【００５７】
切り取り開封部３０は、開封痕跡表示部３１、曲がり部３２、開封片部分３３、開封用取っ手部３４及び支持突起３５を含む。
【００５８】
開封痕跡表示部３１は、周辺部１１の中央部から底面端まで複数が延びて形成される。曲がり部３２は、複数の開封痕跡表示部３１の上端を直線状に連結する。開封片部分３３は、複数の開封痕跡表示部３１と曲がり部３２とにより規定される。開封用取っ手部３４は、開封片部分の外面の外側に突出して形成される。
【００５９】
開封痕跡表示部３１は、瓶のキャップの最初開封可否を確認するための構造として、開封片部分３３が上方に動く場合に破断または切り取りが容易になるように、点線状の破断線または他部位より薄い厚さの切取線で形成する。
【００６０】
支持突出部３５は、開封痕跡表示部３１の破断によって開封片部分３３が上方に動く場合に、その開封片部分３３の開封用取っ手部３４の上面と互いに接するように、曲がり部３２の上側に突出して形成される。
【００６１】
ユーザーが瓶のキャップの底面側を一手で握って親指などで開封片部分３３の底面端を上方に動かす動作を行うと、開封片部分は曲がり部３２の軸とともに持ち上げられ、開封痕跡表示部３１を破断する。次に、瓶のキャップは瓶１００の開口部から離脱する構造である。したがって、ユーザーは一手でも第１キャップ１０を瓶１００の開口部から開封することが可能である。
【００６２】
本発明の瓶のキャップも、前述した実施形態と同様に、図１３及び図１４に示すように、第１キャップ１０の周辺部１１の内面に沿って離脱防止用環状突起１６または離脱防止用環状溝１９が形成されていて、瓶１００の首部の外周で第１キャップ１０の離脱を防止する。
【００６３】
以下、添付図面を参照して本実施形態に係る瓶のキャップの開封例についての作動状態を具体的に説明する。
【００６４】
図１５ないし図１９は、本発明の第２実施形態に係る瓶のキャップが開封される状態を示す例示図である。
【００６５】
図１５は、第１キャップ１０と第２キャップ２０が瓶の開口部に嵌合されて瓶を密閉させる状態を示す。この状態で図１６に示すように、ユーザーが開封片部分３３の開封用取っ手部３４に親指の先端部を当てて、これを上方に押し上げる。そうすると、図１７に示すように、開封痕跡表示部３１が破断するようになる。
【００６６】
図１８に示すように、開封片部分３３と支持突起３５が接すると、自然に親指の底部が開封用取っ手部３４の破断部に接触する。そうすると図１９に示すように、開封片部分が支持突起を中心に回動しながら、親指による上向き力により瓶のキャップ全体に回転モーメントが発生して瓶の開口部を開封させる。
【００６７】
特に、第１キャップ１０には溝部１４の側壁下部と底面を連結する部位に湾曲状の湾曲部１４ｂが形成されているので、瓶のキャップの開封時に溝部１４の外壁下部が瓶の開口部から容易に抜け出すことができる。
【００６８】
本実施形態に係る瓶のキャップの開封するために、第２キャップ２０が結合された第１キャップ１０の切り取り開封部３０を使用して、瓶の開口部から第１キャップを上方に斜めに外して瓶の開口部を開封する。
【００６９】
また、第１キャップ１０が第２キャップ２０により瓶の開口部に密着した状態で嵌合されるので、まず第２キャップ２０を抜け出した後、切り取り開封部３０を使用して瓶の開口から第１キャップ１０を外して瓶を開封することも勿論可能である。
【００７０】
図２０ないし図２２は、図１０ないし図１２に示した実施形態における瓶のキャップに対する変形例を示す図面である。図２０は第１キャップ１０に形成された空気通路１４ｃを示す底面図であり、図２１は第１キャップ１０に形成された空気通路１４ｃを示す断面図であり、図２２は図２１の“Ｂ”部を示す拡大図である。
【００７１】
これらの図面に示すように、溝部１４の側壁の下部と溝部１４の底面を連結する湾曲部１４ｂの外部面には、瓶のキャップの空気を排出できるように溝部１４の下端とその底面を連結する凹溝状の空気通路１４ｃが形成される。このような空気通路１４ｃについて、通路の幅が一定でありかつ直線状に形成した一つ以上の空気通路が放射状に配置されている。
【００７２】
切り取り開封部３０により瓶の開口部を開封する過程で瓶のキャップを一方向に傾けると、図１９を参照して前述したように湾曲部１４ｂが瓶の内周部に密着して密閉状態になる。このように、湾曲部１４ｂが瓶の内周部に密着した状態で、図２０ないし図２２に示すような空気通路１４ｃが形成された場合、空気通路１４ｃを通じて瓶内部の炭酸ガスが外部に排出される。
【００７３】
それによって、瓶内部の炭酸ガスが排出される開封音が発生し、またユーザーは開封時炭酸ガスの排出を指で感じることができる。したがって、ユーザーは、瓶のキャップの開封可否を判断できると同時に、自分の開封が最初の開封であることが分かり、また開封音により清涼感を感じるようになる。また炭酸ガスが含まれた飲み物またはビールなどの場合には、最初の開封時に内容物が溢れる恐れがあるが、このような空気通路１４ｃにより内部の空気を徐々に排出するので、内容物が溢れることを防止できる。
【００７４】
本実施形態に係る瓶のキャップは、切り取り開封部３０によって開封されるので、瓶のキャップの開封位置は、切り取り開封部３０の最近接位置に限定される。したがって、瓶内部の空気は、この部分の空気通路１４ｃを通じて外部に排出される。したがって、本実施形態では、空気通路１４ｃが開封用取っ手部３４の最近接位置に一つだけを形成してもよい。しかし、このような空気通路１４ｃを第１実施形態に係る瓶のキャップに適用する場合には、瓶のキャップの開封位置が特定地点に限定されないで多様に構成できるので、複数の空気通路１４ｃを湾曲部１４ｂに放射形状に配置することが好ましい。
【００７５】
また、前述した空気通路１４ｃの変形例としては、図２３に示すように、溝部の下部で底面よりも広い幅の空気通路が形成される、拡張型空気通路１４ｄを形成することができる。このような空気通路１４ｄの場合には、空気通路１４ｄの上部が拡張されて、開封位置と空気通路１４ｄの位置が正確に一致しない場合にも、空気通路１４ｄの拡張部によって瓶内部の空気を排出することが可能である。
【００７６】
したがって、開封位置と空気通路１４ｄの位置が正確に一致しない場合にも、開封音が発生して瓶のキャップの最初の開封可否を判断できるだけでなく、開封音により清涼感を感じることができ、内容物が溢れることを防止できる。特に、このような空気通路１４ｄが湾曲部１４ｂに放射形状に配置されると、第１実施形態に係る瓶のキャップに空気通路１４ｄを適用する時よりも効果的である。
【００７７】
図２４及び図２５は、本実施形態に係る瓶キャップのもう一つの変形例を示す図面である。図２４及び図２５に示すように、溝部１４の側壁の底面端部外周部の周りには、下方に延びたスカート部１４ｅが形成される。このスカート部１４ｅは瓶の首部の内周に接触して密着する。したがって、特に炭酸飲料、ビールなど内容物のガス圧力が瓶の開口部に向かって上方に作用する時、スカート部１４ｅは圧力により外側に拡張しながら瓶１００の首部の内周と密着するようになる。したがって、瓶１００の首部の内周と第１キャップ１０の溝部１４との間の密閉性がより向上する。このようなスカート部１４ｅは、図２０ないし図２２に示す変形例の構成と共に適用することができ、第２実施形態だけでなく第１実施形態に係る瓶のキャップにも適用することができる。
【００７８】
図２６及び図２７は、本発明に係る瓶のキャップ周辺部の変形例を示す断面図である。図２６及び図２７に示すように、第１キャップ１０の周辺部１１の下端が陥没して周辺部１１の他部位に比べて厚さが減少しながら薄く形成されている。例えば、周辺部１１の下端は外側が陥没して、それが図２６に示すように段差部１１ａになるかまたは図２７に示すように湾曲部１１ｂになることができる。
【００７９】
第１キャップ１０は、周辺部１１の下部の外側が陥没しているので、キャップが未開封の状態で瓶を運搬または携帯する場合に、運搬箱または指などが瓶のキャップ１１の周辺部１１に当ててもキャップが離脱しないで滑るようになる。このように陥没した底面端部の周辺部は、瓶の運搬及び携帯時、瓶のキャップの意図しない離脱を防止できる。すなわち、陥没した周辺部１１を有する瓶のキャップは、切り取り開封部３０の開封によるだけで離脱が可能であるので、運搬及び携帯時瓶のキャップの意図しない離脱を防止する機能がより向上する。
【００８０】
特に本発明の第２実施形態では、切り取り開封部３０が形成されているので、瓶のキャップが切り取り開封部３０による開封試み以外の他の要因によっては開封されないことが好ましい。このように下部領域が陥没した周辺部１１は、他の器具またはつめなどを利用した非正常的な方法による開封試みによっても、瓶のキャップが容易に開封しないようにする役割をする。
【００８１】
このように陥没した周辺部１１は、第２実施形態に係る瓶のキャップだけでなく、第１実施形態に係る瓶のキャップにも適用が可能である。
【００８２】
図２８は、第２実施形態に係る瓶のキャップの側面図として、説明及び図示の便宜上、切り取り開封部３０を点線で図示する。図２８に示すように、第１キャップの周辺部１１は、形成された陥没部３６を有し、その下部が、開封用取っ手部３４が形成される部位で上方に湾曲するよう切り取られている。
【００８３】
本発明の瓶のキャップにおいて、開封用取っ手部３４が形成される周辺部１１の部位を他の周辺部１１と同様に形成した場合には、瓶のキャップの開封時の図１６の状態から図１７の状態に、ユーザーの指の挿入操作が行われず、ユーザーの指が周辺部１１にひっかかるようになって開封操作が不便になる。このような周辺部１１によりひっかかる現象を解決するために、周辺部１１のうち、開封用取っ手部３４が形成された部位を切り取る方法を考慮できる。
【００８４】
ところが、周辺部１１の開封用取っ手部３４が形成される部位が、完全に切り取られた場合には、図１７及び図１８に示すように、ユーザーの指が開封用取っ手部３４の内側に挿入する操作が容易である。しかし、このような場合、周辺部１１の開封用取っ手部３４が形成される部位が、完全に切り取られているので、周辺部１１による密閉力が低下する。
【００８５】
したがって、周辺部１１の開封用取っ手部３４が形成される部位に陥没部３６を形成することによって、周辺部１１を部分的に切り取り、切り取られた部分の形状が、開封時に接する親指の接触面形状に対応するようにする。これによって、図１７及び図１８に示すように、ユーザーの指が開封用取っ手部３４の内側に挿入する操作が容易になって、開封用取っ手部３４に対する開封操作が容易であるだけでなく、周辺部１１による密閉力の低下を防止する。
【００８６】
図２９ないし図３４は、第２実施形態に係る瓶のキャップの切り取り開封部の反対側周辺部に形成した切取線または破断線を図示する。
【００８７】
図２９及び図３０に示すように、切り取り開封部３０の反対側周辺部１１、すなわち周辺部１１のうち、開封用取っ手部３４が形成される反対側周辺部１１には、周辺部の底面端から一定高さの上方まで他部位より薄い厚さを有するように内周部を有する切り取られた切取線１１ｃが形成されている。
【００８８】
図３１に示すように、ユーザーが切り取り開封部３０を上方に押し上げて瓶のキャップを開封する場合には、切り取り開封部３０の反対側の周辺部１１が下方に押圧されながら切取線１１ｃに沿ってその底面端から上方に切り取られる。したがって、切り取り開封部３０に対する小さな作用力だけでその反対側の周辺部１１が切り取られて瓶のキャップが開封されるので、より小さな作用力により瓶のキャップを開封することができる。
【００８９】
また、このような切取線１１ｃは、ユーザーが瓶のキャップを開封した場合、破断して開封痕跡表示部としての役割を果たす長所がある。
【００９０】
図３２及び図３３に示すように、前述した切取線１１ｃの変形例として、第１キャップの周辺部１１の外周部に切取線１１ｄを形成することも可能である。
【００９１】
また、このような切取線の他の変形例として図３４に示すように、第１キャップの周辺部１１には、底面端を一定高さの上方まで一部切断して点線状に穿孔した破断線１１ｅを形成することも可能である。
【００９２】
このような破断線１１ｅは、瓶のキャップの開封時、切取線に比べて破断する感覚をさらに明確に与えることができる長所がある。
【００９３】
本実施形態において、このような切取線または破断線は、一つだけを適用しているが、瓶のキャップの大きさまたは形状によって複数を形成して適用することも可能である。
【００９４】
このような複数の切取線または破断線の例としては、周辺部１１の中央に一つを形成し、両側部にさらに一つずつ形成する場合と、中央に二つを一列に形成する場合などが可能である。
【産業上の利用可能性】
【００９５】
本発明は、炭酸飲料などを受容する瓶にも採用可能な程度に密閉性が高く、簡単な動作で瓶のキャップの開封が可能であり、環境親和的であり、製造コストが低廉な瓶のキャップに使用することができる。
【００９６】
本明細書内で本発明は、図面で示される例示的な実施形態とともに記述したが、単に一例に過ぎない。当業者ならば、本発明に対する様々な改変物及び等価物が作成され得ることが理解されると考えられる。そのため、本発明の真の技術的範囲は、添付の特許請求の範囲により定義されるべきである。
【図１】
2011500466.tif 000004
【図２】
2011500466.tif 000005
【図３】
2011500466.tif 000006
【図４】
2011500466.tif 000007
【図５】
2011500466.tif 000008
【図６】
2011500466.tif 000009
【図７】
2011500466.tif 000010
【図８】
2011500466.tif 000011
【図９】
2011500466.tif 000012
【図１０】
2011500466.tif 000013
【図１１】
2011500466.tif 000014
【図１２】
2011500466.tif 000015
【図１３】
2011500466.tif 000016
【図１４】
2011500466.tif 000017
【図１５】
2011500466.tif 000018
【図１６】
2011500466.tif 000019
【図１７】
2011500466.tif 000020
【図１８】
2011500466.tif 000021
【図１９】
2011500466.tif 000022
【図２０】
2011500466.tif 000023
【図２１】
2011500466.tif 000024
【図２２】
2011500466.tif 000025
【図２３】
2011500466.tif 000026
【図２４】
2011500466.tif 000027
【図２５】
2011500466.tif 000028
【図２６】
2011500466.tif 000029
【図２７】
2011500466.tif 000030
【図２８】
2011500466.tif 000031
【図２９】
2011500466.tif 000032
【図３０】
2011500466.tif 000033
【図３１】
2011500466.tif 000034
【図３２】
2011500466.tif 000035
【図３３】
2011500466.tif 000036
【図３４】
2011500466.tif 000037
【手続補正書】
【提出日】平成22年6月4日(2010.6.4)
【手続補正１】
【補正対象書類名】特許請求の範囲
【補正対象項目名】全文
【補正方法】変更
【補正の内容】
【特許請求の範囲】
【請求項１】
瓶の開口部に装着される瓶のキャップであって、
瓶の開口部の外周を取り囲むように円柱形で形成された周辺部と、前記瓶の開口部の内周に気密的に接触する側壁を形成するように下方に陥没して形成された溝部を有する先端部とを備えた第１キャップ；及び
前記第１キャップの前記溝部内に嵌合され、かつ外側方向に拡張される方向に押圧力を加えるように前記溝部の内壁を押圧する嵌入部を備え、
前記第１キャップより硬質の素材で製作された、
第２キャップ
を含む、瓶のキャップ。
【請求項２】
前記第１キャップが、前記溝部の内側壁の一部に形成された第１係止部を有し、かつ
前記第２キャップが、その外周の一部に前記第１係止部を係止するように形成された第２係止部を有する、
請求項１に記載の瓶のキャップ。
【請求項３】
前記第２キャップが、前記嵌入部の頂部から外向きに延びた延長部を備える、請求項１に記載の瓶のキャップ。
【請求項４】
前記嵌入部が、側方支持力を与えるためにその内部に形成された支持台とともに提供される、請求項３に記載の瓶のキャップ。
【請求項５】
前記延長部が、外周の一部に形成された離脱用突起または溝を有する、請求項３に記載の瓶のキャップ。
【請求項６】
前記第１キャップの前記溝部が、内側壁の上端に前記第２キャップの前記延長部が載置されるように段差を持って陥没して形成された段差部を備える、請求項３に記載の瓶のキャップ。
【請求項７】
前記第１キャップの前記溝部が、前記側壁の下部で他部位より薄く形成された厚さの前記側壁を有する、請求項１に記載の瓶のキャップ。
【請求項８】
前記溝部の前記側壁が、その厚さが薄く形成されるように、その陥没した内側を有する、請求項７に記載の瓶のキャップ。
【請求項９】
前記第１キャップが、前記周辺部の内面に沿って形成される離脱防止用環状突起を備える、請求項１に記載の瓶のキャップ。
【請求項１０】
前記第１キャップが、前記周辺部の内面に沿って形成される離脱防止用環状溝を備える、請求項１に記載の瓶のキャップ。
【請求項１１】
前記第１キャップが、前記側壁の外周に沿って形成される密閉用環状突起を備える、請求項１に記載の瓶のキャップ。
【請求項１２】
前記第１キャップの前記溝部の下部とその底面を連結する部位が湾曲している、請求項１に記載の瓶のキャップ。
【請求項１３】
開封時瓶内部の空気が排出されるように、前記溝部の下部とその底面を連結する一つ以上の凹状空気通路が外部面に形成される、請求項１２に記載の瓶のキャップ。
【請求項１４】
それぞれの前記空気通路が、前記溝部の下部でその底面部分より広く形成された幅の通路を有する、請求項１３に記載の瓶のキャップ。
【請求項１５】
前記側壁が、その底面端外周部分に下方に延びるスカート部を備える、請求項１２に記載の瓶のキャップ。
【請求項１６】
前記第１キャップの前記周辺部の下端が、前記周辺部の他部位に比べて薄く形成されるように陥没している、請求項１に記載の瓶のキャップ。
【請求項１７】
前記第１キャップが、前記周辺部の中央部から底面端部まで延びる複数の開封痕跡表示（ｔａｍｐｅｒ  ｉｎｄｉｃａｔｉｏｎ）部；
前記複数の開封痕跡表示部の上端を直線状に連結する曲がり部；
前記複数の開封痕跡表示部と前記曲がり部とにより規定される開封片部分；
前記開封片部分の外面の外側に突出した開封用取っ手部；及び
前記開封痕跡表示部の破断により前記開封片部分が上方に動く場合に、その開封片部分の開封用取っ手部の先端と互いに接するように、前記曲がり部の頂部から突出している支持突起
をさらに備える、請求項１ないし１６のいずれか１項に記載の瓶のキャップ。
【請求項１８】
前記開封痕跡表示部が、点線状の破断線または他部位より薄い厚さの切取線で形成される、請求項１７に記載の瓶のキャップ。
【請求項１９】
前記周辺部が、前記開封用取っ手部が形成された部位で底面端部分が上方に湾曲するように、切り取られる、請求項１７に記載の瓶のキャップ。
【請求項２０】
前記開封用取っ手部が形成された部位の反対側周辺部に、一つまたは複数の点線状の破断線または他部位より薄い厚さの一つまたは複数の切取線が、前記周辺部の周辺部の上方向および下方向に沿って形成される、請求項１７に記載の瓶のキャップ。
【手続補正２】
【補正対象書類名】明細書
【補正対象項目名】０００５
【補正方法】変更
【補正の内容】
【０００５】
技術的問題
前述したこのような問題点を解消するために、本発明は、炭酸飲料などを受容する瓶にも十分に採用できる程度に密閉性が高く、簡単な動作でも瓶のキャップの開封が可能であり、環境に優しく、製造コストが低廉な瓶のキャップを提供することにその目的がある。
[請求項101]
瓶の開口部に装着される瓶のキャップであって、
瓶の開口部の外周を取り囲むように円柱形で形成された周辺部と、前記瓶の開口部の内周に気密的に接触する側壁を形成するように下方に陥没して形成された溝部を有する先端部とを備えた第1キャップ;及び
前記第1キャップの前記溝部内に嵌合される第2キャップ
を含む、瓶のキャップ。
[請求項102]
前記第1キャップが、前記溝部の内側壁の一部に形成された第1係止部を有し、かつ
前記第2キャップが、その外周の一部に前記第1係止部を係止するように形成された第2係止部を有する、
請求項101に記載の瓶のキャップ。
[請求項103]
前記第2キャップが、前記溝部に挿入される嵌入部と、前記嵌入部の頂部から外向きに延びた延長部とを備える、請求項101に記載の瓶のキャップ。
[請求項104]
前記嵌入部が、側方支持力を与えるためにその内部に形成された支持台とともに提供される、請求項103に記載の瓶のキャップ。
[請求項105]
前記延長部が、外周の一部に形成された離脱用突起または溝を有する、請求項103に記載の瓶のキャップ。
[請求項106]
前記第1キャップの前記溝部が、内側壁の上端に前記第2キャップの前記延長部が載置されるように段差を持って陥没して形成された段差部を備える、請求項103に記載の瓶のキャップ。
[請求項107]
前記第2キャップが、前記第1キャップより硬質の素材で製作される、請求項101に記載の瓶のキャップ。
[請求項108]
前記第1キャップの前記溝部が、所定の部位で他部位より薄く形成された厚さの前記側壁を有する、請求項101に記載の瓶のキャップ。
[請求項109]
薄く形成された厚さの前記側壁が前記側壁の下部である、請求項108に記載の瓶のキャップ。
[請求項110]
前記溝部の前記側壁が、その厚さが薄く形成されるように、その陥没した内側を有する、請求項108に記載の瓶のキャップ。
[請求項111]
前記第1キャップが、前記周辺部の内面に沿って形成される離脱防止用環状突起を備える、請求項101に記載の瓶のキャップ。
[請求項112]
前記第1キャップが、前記周辺部の内面に沿って形成される離脱防止用環状溝を備える、請求項101に記載の瓶のキャップ。
[請求項113]
前記第1キャップが、前記側壁の外周に沿って形成される密閉用環状突起を備える、請求項101に記載の瓶のキャップ。
[請求項114]
前記第1キャップの前記溝部の下部とその底面を連結する部位が湾曲している、請求項101に記載の瓶のキャップ。
[請求項115]
開封時瓶内部の空気が排出されるように、前記溝部の下部とその底面を連結する一つ以上の凹状空気通路が外部面に形成される、請求項114に記載の瓶のキャップ。
[請求項116]
それぞれの前記空気通路が、前記溝部の下部でその底面部分より広く形成された幅の通路を有する、請求項115に記載の瓶のキャップ。
[請求項117]
前記側壁が、その底面端外周部分に下方に延びるスカート部を備える、請求項114に記載の瓶のキャップ。
[請求項118]
前記第1キャップの前記周辺部の下端が、前記周辺部の他部位に比べて薄く形成されるように陥没している、請求項101に記載の瓶のキャップ。
[請求項119]
前記第1キャップが、前記周辺部の中央部から底面端部まで延びる複数の開封痕跡表示(tamper indication)部;
前記複数の開封痕跡表示部の上端を直線状に連結する曲がり部;
前記複数の開封痕跡表示部と前記曲がり部とにより規定される開封片部分;
前記開封片部分の外面の外側に突出した開封用取っ手部;及び
前記開封痕跡表示部の破断により前記開封片部分が上方に動く場合に、その開封片部分の開封用取っ手部の先端と互いに接するように、前記曲がり部の頂部から突出している支持突起
をさらに備える、請求項101ないし118のいずれか1項に記載の瓶のキャップ。
[請求項120]
前記開封痕跡表示部が、点線状の破断線または他部位より薄い厚さの切取線で形成される、請求項119に記載の瓶のキャップ。
[請求項121]
前記周辺部が、前記開封用取っ手部が形成された部位で底面端部分が上方に湾曲するように、切り取られる、請求項119に記載の瓶のキャップ。
[請求項122]
前記開封用取っ手部が形成された部位の反対側周辺部に、一つまたは複数の点線状の破断線または他部位より薄い厚さの一つまたは複数の切取線が、前記周辺部の周辺部の上方向および下方向に沿って形成される、請求項119に記載の瓶のキャップ。
【手続補正３】
【補正対象書類名】図面
【補正対象項目名】図７
【補正方法】変更
【補正の内容】
【図７】
2011500466.tif 000038
【手続補正４】
【補正対象書類名】図面
【補正対象項目名】図８
【補正方法】変更
【補正の内容】
【図８】
2011500466.tif 000039
【国際調査報告】
2011500466.tif 000040
2011500466.tif 000041